(57)【要約】【課題】隣接する表示パネルの画面間に境界があっても、画像や文字などの表示物が境界で分断されないようにする。【解決手段】対象物検出手段Ｓ１００が、表示パネル１，２の画面間の境界３を跨いで表示されないことを望む対象物Ｏの少なくとも位置を検出し、境界対象物判別手段Ｓ１１０が、上記検出した位置に基づいて、上記対象物Ｏが境界３上に位置するか否かを判別し、位置特定手段Ｓ１２０が対象物Ｏの境界３から外れる位置を特定し、表示物シフト手段Ｓ１３０が、特定された位置に基づいて対象物Ｏが境界３から外れるように、複数の画面上の表示物の位置をシフトする。【選択図】図６
2015045691.tif 000002
【特許請求の範囲】
【請求項１】
隣接して配置される複数の表示パネルを有する表示部と、
上記複数の表示パネルの画面間の境界を跨いで表示されないことを望む対象物の少なくとも位置を検出する対象物検出手段と、
上記検出された位置に基づいて、上記対象物が上記境界上に位置するか否かを判別する境界対象物判別手段と、
上記境界対象物判別手段が、上記対象物が上記境界に位置すると判別したときに、上記対象物が上記境界から外れる上記対象物の位置を特定する位置特定手段と、
上記特定された位置に基づいて、上記対象物が上記境界から外れるように、上記複数の画面上の表示物の位置をシフトする表示物シフト手段と
を備えることを特徴とするマルチ画面表示装置。
【請求項２】
請求項１に記載のマルチ画面表示装置において、
上記位置特定手段は、上記対象物の上記表示パネルの画面上の位置とサイズに基づいて、上記対象物が上記境界から外れる一方と他方の移動量を求め、その一方と他方の移動量のうちで絶対値が最小になる移動量に基づいて、上記位置を特定する
ことを特徴とするマルチ画面表示装置。
【請求項３】
請求項１または２に記載のマルチ画面表示装置において、
上記対象物検出手段は、上記対象物の上記表示パネルの画面上の位置に加えて、上記対象物のサイズを検出し、
上記境界対象物判別手段は、上記対象物の上記表示パネルの画面上の位置とサイズに基づいて、上記対象物が上記境界上に位置するか否かを判別する
ことを特徴とするマルチ画面表示装置。
【請求項４】
請求項１から３のいずれか１つに記載のマルチ画面表示装置において、
上記表示物シフト手段によって表示物をシフトすると、その表示物をシフトする前の画面の内容が、上記表示パネルの画面からはみ出す場合に、上記表示物を縮小して表示する縮小手段を
備えることを特徴とするマルチ画面表示装置。
【請求項５】
請求項１から４のいずれか１つに記載のマルチ画面表示装置を備えることを特徴とする電子機器。
【発明の詳細な説明】
【技術分野】
【０００１】
この発明は、マルチ画面表示装置およびそれを備えた電子機器に関する。
【背景技術】
【０００２】
従来、マルチ画面表示装置としては、特開２０１２−１２８１８６号公報（特許文献１）に記載のものがある。
【０００３】
この従来のマルチ画面表示装置では、２つの表示パネルの隣接する画面の境界に跨がって、一部が欠けた文字列が表示される場合、その文字列を複製して、境界の次の行に、完全な文字列を再表示して、読みづらさが生じ無いようにしている。
【０００４】
しかしながら、上記従来のマルチ画面表示装置では、隣接する画面の境界で一部が欠ける文字列を複製した完全な文字列を次の行に表示しているが、一部が境界で欠けた文字列が残って表示されるため、不自然で、やはり見にくいという問題がある。
【先行技術文献】
【特許文献】
【０００５】
【特許文献１】特開２０１２−１２８１８６号公報
【発明の概要】
【発明が解決しようとする課題】
【０００６】
そこで、この発明の課題は、複数の隣接する表示パネルの画面間に境界があっても、画像や文字などの表示物の表示に、不自然さを無くし、かつ、表示物が見えないとか、あるいは見にくいという状況を解消したマルチ画面表示装置およびそれを備えた電子機器を提供することにある。
【課題を解決するための手段】
【０００７】
上記課題を解決するため、この発明のマルチ画面表示装置は、
隣接して配置される複数の表示パネルを有する表示部と、
上記複数の表示パネルの画面間の境界を跨いで表示されないことを望む対象物の少なくとも位置を検出する対象物検出手段と、
上記検出された位置に基づいて、上記対象物が上記境界上に位置するか否かを判別する境界対象物判別手段と、
上記境界対象物判別手段が、上記対象物が上記境界に位置すると判別したときに、上記対象物が上記境界から外れる上記対象物の位置を特定する位置特定手段と、
上記特定された位置に基づいて、上記対象物が上記境界から外れるように、上記複数の画面上の表示物の位置をシフトする表示物シフト手段と
を備えることを特徴としている。
【０００８】
この明細書では、表示物とは、画像、動画、文字などの表示パネルの画面に表示されるものを言う。
【０００９】
また、この発明の電子機器は、
上述のマルチ画面表示装置を備えることを特徴としている。
【００１０】
この電子機器とは、例えば、モニタ、ＰＤＡ（Personal Digital Assistant：携帯情報端末）、携帯電話、ゲーム機などの互いに隣接した複数の表示パネルを有する上述の画面表示部を備える電子機器である。
【発明の効果】
【００１１】
この発明によれば、複数の表示パネルの画面間の境界があっても、画像や文字などの表示物の表示に、不自然さを無くすることができ、かつ、表示物が見えないとか、あるいは見にくいという状況を解消することができる。
【図面の簡単な説明】
【００１２】
【図１】この発明の概要を説明するための図である。
【図２】この発明の概要を説明するための図である。
【図３】この発明の概要を説明するための図である。
【図４−１】表示部の例を示す図である。
【図４−２】表示部の例を示す図である。
【図４−３】表示部の例を示す図である。
【図５】この発明の第１実施形態のマルチ画面表示装置のブロック図である。
【図６】上記第１実施形態のフローチャートである。
【図７】上記第１実施形態の表示部の画面の正面図である。
【図８】上記第１実施形態の表示部の画面の正面図である。
【図９】上記第１実施形態の境界位置を特定するための処理を示すフローチャートである。
【図１０】図９の処理を説明するための表示部の画面の図である。
【図１１】文字が表示された表示部の画面を示す図である。
【図１２】図１１の一部の拡大図である。
【図１３】文字が境界で分断されないようにした状態の表示部の画面を示す図である。
【図１４】この発明の第２実施形態のマルチ画面表示装置の処理を示すフローチャートである。
【図１５】上記第２実施形態の表示部の画面の正面図である。
【図１６】上記第２実施形態の表示部の画面の正面図である。
【図１７】上記第２実施形態の表示部の画面の正面図である。
【図１８】この発明の第３実施形態のマルチ画面表示装置の表示部の画面を示す図である。
【発明を実施するための形態】
【００１３】
以下、この発明を図示の実施形態により詳細に説明する。
【００１４】
まず、第１〜第３実施形態の説明に先立って、この発明および各実施形態を分かり易くするために、それらの概念について、具体的に説明し、各実施形態に適用できる表示部などの構成について説明する。
【００１５】
図１は、表示部１０の互いに隣接する表示パネル１および２の画面にオリジナル画像を表示した状態を示す図であり、図２は、そのオリジナル画像を自然な見やすい画像に処理した後の状態を示す図である。図１，２において、３は隣接する画面間の境界である。図１のオリジナル画像は、次の手順で、図２の処理後の画像になる。
【００１６】
（i）  図１の画面において、例えば、顔認識ソフトを使って、表示パネル１，２の画面間の境界３を跨いで表示されないことを望む対象物の一例としての顔Ｃを認識し、その顔Ｃがどこに位置しているか検出する。
【００１７】
（ii）  表示パネル１，２の画面全体の境界３に対応する画面横幅中央（１０２４ドット÷２＝５１２ドット）５１２ドット付近に人物の顔Ｃが存在するか検出する（例えば、公知の顔認識ソフトで検出できる。）。
【００１８】
（iii）  上記顔Ｃが境界３で分断されないシフト幅を検出する。
【００１９】
（iv）  上記境界３を境目に、人物を左右２つのグループに分ける。
【００２０】
（v）  シフトした片方のグループの人物が画面からはみ出した場合、そのグループを縮小して、画面からはみ出さないようにする。
【００２１】
（vi）  片方のグループの縮尺率が決まれば、他方のグループも同じ比率で縮小する。
【００２２】
（vii）  最後に、図２に示すように、画面中央揃え行う。
【００２３】
図３は、他の具体例を示すもので、この第３図では、表示パネル１，２の画面の境界３に、対象物の一例としての中央の人物の顔Ｃが跨がり、また、対象物の一例としての文字「仲」の偏である「イ」に重なる例である。この場合も、上述と同様に、シフトして、境界３による不自然さ、見にくさを解消する。
【００２４】
図４−１，図４−２，図４−３は、マルチ画面を有する表示部の具体例を示している。
【００２５】
図４−１に示す表示部１０では、表示パネル１，２の画面を、境界３を境に左右に隣接して配置し、表示部１０の画面の左上の点を原点として、Ｘ軸、Ｙ軸を定めている。図４−２に示す表示部２０では、表示パネル２１，２２の画面を、境界３−１を境に上下に隣接して配置し、表示部２０の画面の左上の点を原点として、Ｘ軸、Ｙ軸を定めている。図４−３に示す表示部３０では、表示パネル３１，３２，３３，３４の画面を、境界３−２，３−３を境に左右、上下に隣接して配置し、表示部３０の画面の左上の点を原点として、Ｘ軸、Ｙ軸を定めている。
【００２６】
（第１実施形態）
図５は、この第１実施形態のマルチ画面表示装置の構成を示すブロック図である。
【００２７】
このマルチ画面表示装置は、図５に示すように、表示部１０，３０、ＣＰＵ（中央処理装置）５０、表示制御ＩＣ（集積回路）５１、ＲＯＭ（リードオンリメモリ）５２およびＲＡＭ（ランダムアクセスメモリ）５３を備える。上記表示部１０，３０は、既に図４−１，４−３で説明した表示部１０，３０と同じ構成を有するので、同じ参照番号を付して、その説明は省略する。上記ＣＰＵ５０は、ＲＯＭ５２またはＲＡＭ５３に予め記憶したプログラムによって、図６および９のフローチャートに示された処理を実行して、表示制御ＩＣ５１を介して、表示部１０，３０を制御する。
【００２８】
以下においては、上記表示部１０の表示パネル１，２の隣接する画面間の境界３を跨いで表示されないことを望む対象物の例としての「顔」と「文字」との場合について、説明する。
【００２９】
対象物が「顔」の場合
今、図７に示すように、上記表示部１０の表示パネル１，２にオリジナル画像が表示されているとして、対象物の一例としての人物の顔Ａ，Ｂ，Ｃ，Ｄ，Ｅのうち、顔Ｃが境界３に跨がって表示される状態にあるとする。この状態に対して、図６に示すステップＳ１００〜Ｓ１３０の処理が実行されて、図８に示すように、顔Ｃが境界３に跨がらないようにされる。以下、図６の各ステップＳ１００〜Ｓ１３０（以下、ステップの文字を省略し、単に、Ｓ１００〜Ｓ１３０と記載する。）の各々について、図７，８を参照しながら、説明する。
【００３０】
Ｓ１００：
予めＲＯＭ５２またはＲＡＭ５３に記憶されている公知の顔認識ソフトによって、図７に示す対象物としての人物の顔Ａ，Ｂ，Ｃ，Ｄ，Ｅを自動的に認識し、そして、その顔Ａ，Ｂ，Ｃ，Ｄ，Ｅの位置とサイズを検出する。このＳ１００は、対象物検出手段および識別手段の一例を構成する。
【００３１】
例えば、
顔Ａは、位置（Ｘ，Ｙ）＝（１００，５０）、    サイズ（横，縦）＝（１２０，１５０）、
顔Ｃは、位置（Ｘ，Ｙ）＝（５００，２０）      サイズ（横，縦）＝（１４０，１５０）
として検出する。顔Ｂ，Ｄ，Ｅについては、省略する。
【００３２】
Ｓ１１０：
対象物としての顔Ａ，Ｂ，Ｃ，Ｄ，Ｅが表示パネル１，２の境界３の上に位置しているか否か、つまり、境界３を跨がっているか否かを確認する。このＳ１１０は、境界対象物判別手段の一例を構成する。
【００３３】
例えば、表示パネル１，２の境界３は、図７に示すように、Ｙ軸に平行でＸ＝５１２である。Ｓ１００で検出した対象物としての顔Ａ，Ｂ，Ｃ，Ｄ，Ｅの位置、サイズから、Ｘ＝５１２と重なる境界３上にある顔を判別する。その結果、顔Ａ〜Ｅのうち、顔Ｃのみが境界３上に有ると判別する。
【００３４】
Ｓ１２０：
顔Ｃの位置とサイズから、顔Ｃを分断しない境界３の位置を特定する。このＳ１２０は、位置特定手段の一例を構成する。例えば、顔Ｃを分断しない境界の位置として、図７に示す境界３をＸ軸の方向に、−３０dotシフトした図８の境界３を特定する。
【００３５】
Ｓ１２０の詳細については、後に、別途、図９，図１０を参照しながら説明する。
【００３６】
Ｓ１３０：
Ｓ１２０で求めた境界３（図８参照）の位置に基づいて、図７の原点（０，０）を、図８の原点（０，０）へ−３０dotずらす。これにより、図８に示すように、顔Ｃが境界３に重ならず、顔Ｃの表示に不自然さが無くなり、見やすくなる。このＳ１２０およびＳ１３０は、表示物シフト手段の一例を構成する。
【００３７】
図８では、Ｘ軸方向の座標は、図７のＸ軸方向の座標に対して、３０dot加算したものとなる。
【００３８】
次に、Ｓ１２０の詳細について、図９および図１０参照しながら、説明する。
【００３９】
ここで、図１０において、表示部１０の表示パネル１，２の画面間の境界つまり境界線３上に表示されないことを望む対象物、あるいは、境界線３を跨いで表示されないことを望む対象物を、一般に「Ｏ」で表す。具体的には、対象物Ｏは、顔Ａ，Ｂ，Ｃ，Ｄ，Ｅであり、具体例を特定するときは、「Ｏ」の代わりに、「Ａ」，「Ｂ」，「Ｃ」，「Ｄ」，「Ｅ」などを用いる。
【００４０】
上記対象物Ｏに対して、境界線３が対象物Ｏ上に位置しないための相対的な移動量、つまりシフト量を以下の通り定義する。
【００４１】
ある軸に対する一方つまり正の移動量をMp（Ｏ）、
ある軸に対する他方つまり負の移動量をMm（Ｏ）、
境界線３の最終的な相対的な移動量をMとする。
【００４２】
Ｙ軸と平行な境界線（Ｘ軸に垂直な境界）３を例に図１０を用いて具体的に説明すると、次のようになる。（Ｘ軸と平行な境界についても考え方は同様である。）
Mp(Ｏ)：  Ｘ軸の正の方向の移動量（図１０において右方向）
Mm(Ｏ)：  Ｘ軸の負の方向の移動量（図１０において左方向）
また、図１０において、
Ｃｒ、Ｃｌ：  対象物（顔）Ｃに対するＸ軸の正方向と負方向の境界、
Ｂｌ：  対象物（顔）Ｂに対するＸ軸の負方向の境界、
Ａｌ：  対象物（顔）Ａに対するＸ軸の負方向の境界、
画面間の境界線３のＸ座標：  Ｘ=１８０
である。
【００４３】
また、図６のＳ１００およびＳ１１０で、
対象物Ａ：  位置（Ｘ，Ｙ）＝（２０，２０）、  サイズ（横，縦）＝（１００，１５０）、
対象物Ｂ：  位置（Ｘ，Ｙ）＝（８０，８０）、  サイズ（横，縦）＝（１００，１５０）、
対象物Ｃ：  位置（Ｘ，Ｙ）＝（１５０，５）、  サイズ（横，縦）＝（１００，１５０）、
対象物Ｄ：  位置（Ｘ，Ｙ）＝（２６０，６０）、  サイズ（横，縦）＝（１００，１５０）、および、
対象物Ｅ：  位置（Ｘ，Ｙ）＝（３３０，２５）、  サイズ（横，縦）＝（１００，１５０）
が特定されているとする。
【００４４】
この状態で、Ｓ１２０の詳細である図９のＳ１２１〜Ｓ１２６について説明する。
【００４５】
Ｓ１２１：
画面間の境界線３の位置と対象物Ｏの位置、サイズから境界線３をどちらの方向にどれだけ相対的にずらせば、境界線３と対象物Ｏと重ならないかを求める。つまり、シフト量を求める。
【００４６】
例えば、既に、Ｓ１１０の処理で、対象物Ｃについて、
Ｘ軸の負方向の境界線Ｃｌは１５０、
Ｘ軸の正方向の境界線Ｃｒは２５０（１５０＋１００）、
境界線３のＸ＝１８０は、  Ｃｌ＜Ｘ＝１８０＜Ｃｒ
なので、対象物Ｃの位置に境界線３が位置していると判別し、対象物Ａ，Ｂ，Ｄ，Ｅについては、境界線３が位置していないと判別している。
【００４７】
Ｍｐ＝Ｍｐ（Ｃ）＝２５０（Ｃの正方向の境界Ｃｒ）−１８０（境界線３の初期位置）＝７０、
Ｍｍ＝Ｍｍ（Ｃ）＝１５０（Ｃの負方向の境界Ｃｌ）−１８０（境界線３の初期位置）＝−３０
を算出する。
【００４８】
Ｓ１２２：
境界線３を初期位置からＭｐ移動させた場合、境界線３と重なる対象物Ｏ’が存在するか否かを確認し、否（Ｎｏ）なら、Ｓ１２４に進み、是（Ｙｅｓ）なら、Ｓ１２３に進む。
【００４９】
例えば、境界線３の初期位置Ｘ＝１８０であり、そこから、Ｍｐ＝７０だけ移動させると、Ｘ＝２５０（１８０＋７０）となる。
【００５０】
ここで、Ｓ１１０と同様に他の対象物Ｏ’との重なりを確認すると、図１０では、境界線３と重なる対象物Ｏ’は存在しないから、Ｓ１２４に進むことになる。
【００５１】
Ｓ１２３：
新たに重なる対象物Ｏ’に対する移動量Ｍｐ（Ｏ’）を算出する。算出方法はＳ１２１と同様である。図１０ではＳ１２２にて、否（Ｎｏ）となるため、Ｓ１２３の処理はしない。
【００５２】
Ｓ１２４：
Ｓ１２２と同様に境界線を初期位置からＭｐ移動させた場合、境界線３と重なる対象物Ｏ’が存在するか否かを確認して、是ならS１２５に進み、否ならＳ１２６に進む。
【００５３】
例えば、図１０では、境界線３の初期位置はＸ＝１８０であり、そこから、Ｍｍ＝−３０移動させると、
Ｘ＝１５０となる。
【００５４】
ここで、Ｓ１１０と同様に他の対象物との重なりを確認すると、Ｏ’＝Ｂとなり、Ｓ１２５に進むことになる。
【００５５】
Ｓ１２５：
Ｓ１２３と同様に新たに重なる対象物Ｏ’に対する移動量Ｍｍ（Ｏ’）を算出する。
【００５６】
例えば、
Ｍｍ＝Ｍｍ（Ｂ）＝８０（Ｂの負方向の境界Ｂｌ）−１８０（境界線３の初期位置）＝−１００
となり、Ｓ１２４に戻ってさらに対象物Ｏ’を確認すると、境界線３が対象物Ａと重なる。
【００５７】
Ｓ１２５にて、Ｍｍ＝Ｍｍ（Ａ）＝２０−１８０＝−１６０
となる。
【００５８】
Ｓ１２６：
Ｍｐ、Ｍｍの移動量のうち、絶対値の小さい方をＭとする。そして、このＭを境界線３が対象物Ｏと重ならないための、境界線３の初期位置からの移動量とする。
【００５９】
例えば、
Ｍｐ＝７０、
Ｍｍ＝−１６０
より、｜Ｍｐ｜＜｜Ｍｍ｜となる。よって、シフト量Ｍ＝Ｍｐ＝７０と確定する。
【００６０】
こうすることによって、多数の対象物Ｏがあっても、最小のシフト量で、対象物Ｏが境界線３で分断されなくなって、違和感や不自然さが無くなって、見やすくなる。
【００６１】
対象物が「文字」の場合
図６および図１１，１２，１３を参照しながら、説明する。
【００６２】
Ｓ１００：
図６のＳ１００で、図１１における対象物の一例としての「文字」の位置とサイズを検出する。具体的には、図１１の番号（１）〜（１３）で示す文字の位置とサイズを検出する。
【００６３】
Ｓ１１０：
表示部１０の表示パネル１，２の境界３は、Ｙ軸に平行でＸ＝５１２である。
文字（１）〜（１３）のうち、（７）で示す文字「仲」のみが境界３と重なる。つまり、
対象物Ｏ＝（７）（「仲」という文字」）
となる。
【００６４】
Ｓ１２０：
対象物Ｏの位置とサイズから、対象物Ｏを分断しない境界３の位置のＸ軸の方向のシフト量は、−３ｄｏｔとなる。図１２は、図１１の文字「仲」の部分を拡大したものである。
【００６５】
Ｓ１３０：
Ｓ１２０で求めた境界３の位置に基づいて、原点を−３ｄｏｔだけ移動する（ずらす）。このように、原点を移動することにより、表示部１０の表示パネル１，２の画面に表示される内容が、図１３に示すように、変更されて、対象物Ｏとしての「仲」という文字は、境界３により分断されなくなる。
【００６６】
このように、文字が境界３で分断されることがないので、違和感や不自然さが無くなって、見やすくなる。
【００６７】
このように、第１実施形態によれば、表示物のうちの文字や画像や動画などの対象物を、境界３で分断されないように、シフトする幅や移動する方向を制御するので、文字や画像や動画は自然で見やすいものとなる。
【００６８】
（第２実施形態）
前述の第１実施形態では、境界３に対象物Ｏが位置するときには、原点の位置をずらして、隣接する画面の表示内容をシフトしているため、当初想定していた表示内容が表示できないという問題が生じる場合がある。この第２実施形態は、この問題を解決するもので、当初想定していた表示内容を画面に表示するものである。
【００６９】
この第２実施形態は、第１実施形態とはハードウエアは同じで、ソフトウエアのみが異なるので、ハードウエアについては、第１実施形態の図５を援用し、以下においては、ソフトウェアについて、図１４に示すフローチャートに基づいて説明する。
【００７０】
図１４において、Ｓ１００，Ｓ１１０，Ｓ１２０は、図６に示す第１実施形態のＳ１００，Ｓ１１０，Ｓ１２０と同じなので、同じ参照番号を付して、説明は省略する。
【００７１】
Ｓ２３０：
Ｓ１２０で求めた境界の位置に基づいて原点を移動する（ずらす）。このように、原点を移動することにより、表示部１０の表示パネル１，２に表示される内容が変更される。このＳ１２０は、表示物シフト手段の一例を構成する。
【００７２】
例えば、図１５において、左上の角のＸ軸の原点を−３０ｄｏｔずらしたとすると、表示パネル２ではＥ氏の左腕を全て表示できなくなるが、この第２実施形態では、下記のように、表示内容全体を縮小して表示することによって、Ｅ氏の左腕を全て表示できるようにするものである。
【００７３】
図１６において、Ｘ軸の原点を−３０ｄｏｔずらすと、
表示パネル１では左側に余白が生じる（イ群）、
表示パネル２ではＥ氏の左腕を全ては表示できない（ロ群）。
【００７４】
以下、余白部分が生じる表示パネル１を（イ群）、はみ出し領域が生じる表示パネル２を（ロ群）と言う。
【００７５】
Ｓ２４０：
図１６において、（ロ群）で表示すべき画像が、表示パネル２、つまり（ロ群）の表示領域内におさまる倍率を特定する。
【００７６】
例えば、図１５において、表示パネル２に表示すべき領域のサイズは、５１２＊７６８であり、
図１６において、表示パネル２に表示すべき領域のサイズは（５１２＋３０）＊７６８である。
【００７７】
このように、表示パネル２に納めるべき画像の横のサイズが大きくなっているため、この画像の内容を表示パネル２におさめるためには、
図１５の横（５１２）／図１６の横（５１２＋３０）＝α
の倍率で画像を縮小する必要がある。
【００７８】
この例では、α＝０．９４４６４９４４・・・である。
【００７９】
Ｓ２５０：
表示すべき画像をＳ２４０で求めた倍率αを掛けて縮小し、対象物Ｏが境界に位置しないように調整する。このＳ２４０，Ｓ２５０は、縮小手段を構成する。
【００８０】
倍率αを掛けた後に、対象物Ｏを境界３に位置させない方法は、下記のように、いくつかの方法が考えられが、特に１つの方法に限定するものではない。
【００８１】
例えば、図１６の（イ群）、（ロ群）の画像をそれぞれα倍にして、図１７に示すように、境界線３上ではりあわせを行う方法がある。
【００８２】
また、図１６において、表示すべき画像を、一点鎖線で囲まれた矩形領域の左上の点を中心に倍率αで縮小して、その後、３０（Ｘ軸の原点のずらし量）＊α分、画像をＸ軸の正の方向にずらす方法がある。
【００８３】
なお、図１７ではＹ軸方向の大きい側（下側）に大きな余白をあけているがこれに限らない。例えば、上側と下側の余白部分が均等になるように画像を表示してもよい。
【００８４】
このように、第２実施形態では、境界線３に顔などの対象物が分断されないように、表示内容をシフトしても、Ｓ２４０，Ｓ２５０で、画像などの表示物の縮小処理を行うので、表示内容のシフトをしても、当初想定していた表示内容を表示することができる。
【００８５】
このように、第２実施形態によれば、画像や動画は自然に見え、顔が半分で切れたり、文字（字幕）が欠けることがなくなるだけでなく、かつ、当初想定していた表示内容を表示することができ、集合写真などの全体バランスの最適化も実現できる。
【００８６】
（第３実施形態）
第１実施形態、第２実施形態では、２枚の表示パネル１，２が隣接していたが、この第３実施形態では、図１８に示すように、４枚の表示パネル３１，３２，３３，３４が上下左右に隣接している。
【００８７】
この場合、Ｙ軸と平行な境界３−２、Ｘ軸と平行な境界３−３のそれぞれに対して、第１実施形態、第２実施形態の図６、図９、図１４のフローチャートに示すシフトおよび縮小処理を実行することによって、顔などの対象物が境界３−２，３−３に分断されないようにすることができ、また、当初想定していた表示内容を全て表示することができる。
【００８８】
（第４実施形態）
この第４実施形態は、上記第１〜第３実施形態のマルチ画面表示装置を備える電子機器である。
【００８９】
ここで、電子機器の一例として、例えば、図４−１、４−２、４−３に示すような隣接する複数の画面を有するモニタ１０，２０，３０がある。
【００９０】
また、電子機器の他の例として、ＰＤＡ（Personal Digital Assistant：携帯情報端末）、携帯電話、ゲーム機などがある。
【００９１】
上記第１〜第３実施形態では、識別手段としての顔認識ソフトで対象物の一例としての顔を自動的に認識するようにしていたが、オペレ−タの指定によって、対象物を指定するようにしてもよい。
【００９２】
また、上記実施形態では、表示物の例として、画像の一例しての顔と、文字について述べたが、表示物は動画であってもよい。また、対象物は、顔や文字に限らず、境界で分断されるのが望ましくないものであれば、どのような表示物であってもよい。
【００９３】
また、上記第１〜第３実施形態では、対象物検出手段は、対象物の位置とサイズを検出するようにしているが、決まった大きさの文字、図形などの場合は、サイズを検出しないで、位置のみを検出するようにしてもよい。
【００９４】
第１〜第４実施形態および変形例で述べた構成要素は、適宜、組み合わせてもよく、また、適宜、選択、置換、あるいは、削除してもよいのは、勿論である。
【００９５】
この発明および実施形態を纏めると、次のようになる。
【００９６】
この発明のマルチ画面表示装置は、
隣接して配置される複数の表示パネル１，２，２１，２２，３１，３２，３３，３４を有する表示部１０，２０，３０と、
上記複数の表示パネル１，２，２１，２２，３１，３２，３３，３４の画面間の境界３，３−１，３−２，３−３を跨いで表示されないことを望む対象物Ｏの少なくとも位置を検出する対象物検出手段Ｓ１００と、
上記検出された位置に基づいて、上記対象物Ｏが上記境界３，３−１，３−２，３−３上に位置するか否かを判別する境界対象物判別手段Ｓ１１０と、
上記境界対象物判別手段Ｓ１１０が、上記対象物Ｏが上記境界３，３−１，３−２，３−３に位置すると判別したときに、上記対象物Ｏが上記境界３，３−１，３−２，３−３から外れる上記対象物Ｏの位置を特定する位置特定手段Ｓ１２０と、
上記特定された位置に基づいて、上記対象物Ｏが上記境界３，３−１，３−２，３−３から外れるように、上記複数の画面上の表示物の位置をシフトする表示物シフト手段Ｓ１３０，Ｓ２３０と
を備えることを特徴としている。
【００９７】
上記構成のマルチ画面表示装置によれば、上記対象物検出手段Ｓ１００が、上記表示パネル１，２，２１，２２，３１，３２，３３，３４の画面間の境界３，３−１，３−２，３−３を跨いで表示されないことを望む対象物Ｏの少なくとも位置を検出し、上記境界対象物判別手段Ｓ１１０が、上記対象物Ｏが上記境界３，３−１，３−２，３−３上に位置するか否かを判別し、上記位置特定手段Ｓ１２０が、上記対象物Ｏが上記境界３，３−１，３−２，３−３から外れる上記対象物Ｏの位置を特定し、上記表示物シフト手段Ｓ１３０，Ｓ２３０が、上記特定された位置に基づいて、上記対象物Ｏが境界３，３−１，３−２，３−３から外れるように、上記複数の画面上の表示物の位置をシフトする。
【００９８】
したがって、この発明のマルチ画面表示装置によれば、境界で分断することを望まない対象物Ｏが境界３，３−１，３−２，３−３で分断されなくなって、違和感や不自然さが無くなって、見やすくなる。
【００９９】
この発明のマルチ画面表示装置では、上記対象物は、自動的に識別する他、予め特定されていてもよく、あるいは、ユーザが任意に指定できるようにしてもよい。
【０１００】
１実施形態のマルチ画面表示装置では、
上記位置特定手段Ｓ１２０は、上記対象物Ｏの上記表示パネル１，２，２１，２２，３１，３２，３３，３４の画面上の位置とサイズに基づいて、上記対象物Ｏが上記境界３，３−１，３−２，３−３から外れる一方と他方の移動量を求め、その一方と他方の移動量のうちで絶対値が最小になる移動量に基づいて、上記位置を特定する。
【０１０１】
この実施形態によれば、上記位置特定手段Ｓ１２０は、上記対象物Ｏの上記表示パネル１，２，２１，２２，３１，３２，３３，３４の画面上の位置とサイズに基づいて、上記対象物Ｏが上記境界３，３−１，３−２，３−３から外れる一方と他方の移動量を求め、その一方と他方の移動量のうちで絶対値が最小になる移動量に基づいて、上記位置を特定するので、移動量が最小となる位置を特定することができる。したがって、上記表示物シフト手段Ｓ１３０，Ｓ２３０は、上記特定された位置に基づいて、最小のシフト量で確実に、対象物が境界３，３−１，３−２，３−３から外れるようにすることができる。
【０１０２】
１実施形態のマルチ画面表示装置では、
上記対象物検出手段Ｓ１００は、上記対象物Ｏの上記表示パネル１，２，２１，２２，３１，３２，３３，３４の画面上の位置に加えて、上記対象物Ｏのサイズを検出し、
上記境界対象物判別手段Ｓ１１０は、上記対象物Ｏの上記表示パネル１，２，２１，２２，３１，３２，３３，３４の画面上の位置とサイズに基づいて、上記対象物Ｏが上記境界３，３−１，３−２，３−３上に位置するか否かを判別する。
【０１０３】
上記実施形態によれば、上記対象物Ｏの表示パネル１，２，２１，２２，３１，３２，３３，３４の画面上の位置とサイズに基づいて、上記境界対象物判別手段Ｓ１１０が上記対象物Ｏが上記境界３，３−１，３−２，３−３上に位置するか否かを判別するので、確実かつ簡単に、上記対象物Ｏが上記境界３，３−１，３−２，３−３上に位置するか否かを判別することができる。
【０１０４】
１実施形態のマルチ画面表示装置は、
上記表示物シフト手段Ｓ１２０，Ｓ１３０，Ｓ２３０によって表示物をシフトすると、その表示物をシフトする前の画面の内容が、上記表示パネル１，２，２１，２２，３１，３２，３３，３４の画面からはみ出す場合に、上記表示物を縮小して表示する縮小手段Ｓ２４０，Ｓ２５０を
備える。
【０１０５】
上記実施形態によれば、上記表示物シフト手段Ｓ１２０，Ｓ１３０，Ｓ２３０によって表示物をシフトすると、その表示物をシフトする前の画面の内容が、上記表示パネルの画面からはみ出す場合に、上記縮小手段Ｓ２４０，Ｓ２５０によって、上記表示物を縮小して表示するので、シフトしても、当初の表示内容を表示することができる。
【０１０６】
この発明の電子機器は、
上述のマルチ画面表示装置
を備える。
【０１０７】
この発明の電子機器では、隣接する複数の表示パネルの画面間の境界によって、対象物が分断されることがないから、画面に、違和感や不自然さが無くなって、見やすいという利点を有する。
【符号の説明】
【０１０８】
１，２，２１，２２，３１，３２，３３，３４  表示パネル
１０，２０，３０  表示部
３，３−１，３−２，３−３  境界
Ｏ  対象物
Ｓ１００  対象物検出手段
Ｓ１１０  境界対象物判別手段
Ｓ１２０，Ｓ１３０，Ｓ２３０  表示物シフト手段
Ｓ２４０，Ｓ２５０  縮小手段
【図１】
2015045691.tif 000003
【図２】
2015045691.tif 000004
【図３】
2015045691.tif 000005
【図４−１】
2015045691.tif 000006
【図４−２】
2015045691.tif 000007
【図４−３】
2015045691.tif 000008
【図５】
2015045691.tif 000009
【図６】
2015045691.tif 000010
【図７】
2015045691.tif 000011
【図８】
2015045691.tif 000012
【図９】
2015045691.tif 000013
【図１０】
2015045691.tif 000014
【図１１】
2015045691.tif 000015
【図１２】
2015045691.tif 000016
【図１３】
2015045691.tif 000017
【図１４】
2015045691.tif 000018
【図１５】
2015045691.tif 000019
【図１６】
2015045691.tif 000020
【図１７】
2015045691.tif 000021
【図１８】
2015045691.tif 000022